(57)【特許請求の範囲】
【請求項１】
帯状の光学フィルムを、前記光学フィルムの先端位置が所定の先端停止位置に到達するまで送る搬送工程と、
前記先端位置が前記先端停止位置に到達した前記光学フィルムを、前記先端停止位置よりも前記光学フィルムの送り方向の手前側に設定された切断部で切断する切断工程と、を含み、
前記搬送工程は、
前記光学フィルムを、前記光学フィルムの先端位置が前記先端停止位置から一定距離離間する一次送り到達点に到達すると想定される一次送り量で送る一次送り工程と、
前記一次送り工程で送られた前記光学フィルムの先端位置を撮像手段で撮像して検出する先端位置検出工程と、
当該先端位置検出工程で検出された前記光学フィルムの先端位置と前記先端停止位置とを比較し、前記光学フィルムの先端位置が前記先端停止位置に到達するのに必要な二次送り量を算出する二次送り量算出工程と、
前記二次送り量算出工程で算出された二次送り量で前記光学フィルムを二次送りする二次送り工程と、を含み、
前記切断部は、前記送り方向の上流側に設定された第１切断部と、前記送り方向の下流側に設定された第２切断部と、を含み、
前記第１切断部と前記第２切断部と前記先端停止位置とは、等間隔をおいて配設されており、
前記第１切断部と前記第２切断部との間隔、および前記第２切断部と前記先端停止位置との間隔は、それぞれ前記光学フィルムを切断した後に得る枚葉の光学フィルムの長さに等しく、
前記一次送り量は、前記第１切断部から前記一次送り到達点に到達すると想定される送り量であり、
前記切断工程において、前記光学フィルムを前記第１切断部と前記第２切断部の２箇所で同時に切断する光学フィルムの切断方法。
【請求項２】
前記一次送り到達点は、前記先端停止位置に対して前記光学フィルムの送り方向の手前側に設定されている請求項１に記載の光学フィルムの切断方法。
【請求項３】
帯状の光学フィルムが搬送される搬送路と、
前記光学フィルムを前記搬送路上に設定された所定の先端停止位置に向けて送る搬送手段と、
先端位置が前記先端停止位置に到達した前記光学フィルムを、前記先端停止位置よりも前記光学フィルムの送り方向の手前側に設定された切断部で切断する切断手段と、
前記搬送路の前記先端停止位置および前記先端停止位置付近を撮像する撮像手段と、
前記撮像手段の撮像情報が供給されるとともに、前記搬送手段による前記光学フィルムの送り量および前記切断手段を制御する制御手段と、を備え、
前記制御手段は、前記搬送手段を制御して、前記光学フィルムの先端が前記先端停止位置から一定距離離間する一次送り到達点に到達すると想定される一次送り量で当該光学フィルムを送り、前記一次送り量で送られた前記光学フィルムの先端位置を前記撮像手段の撮像情報に基づいて検出し、検出された前記光学フィルムの先端位置と前記先端停止位置とを比較して、前記光学フィルムの先端位置が前記先端停止位置に到達するのに必要な二次送り量を算出し、前記搬送手段を制御して、前記二次送り量で前記光学フィルムを二次送りし、前記切断手段を制御して、前記二次送り量で二次送りされた前記光学フィルムを、前記先端停止位置よりも前記光学フィルムの送り方向の手前側に設定された切断部で切断し、
前記切断部は、前記送り方向の上流側に設定された第１切断部と、前記送り方向の下流側に設定された第２切断部と、を含み、
前記第１切断部と前記第２切断部と前記先端停止位置とは、等間隔をおいて配設されており、
前記第１切断部と前記第２切断部との間隔、および前記第２切断部と前記先端停止位置との間隔は、それぞれ前記光学フィルムを切断した後に得る枚葉の光学フィルムの長さに等しく、
前記切断手段は、前記第１切断部と前記第２切断部とにそれぞれ設けられ、
前記一次送り量は、前記第１切断部から前記一次送り到達点に到達すると想定される送り量であり、
前記制御手段は、前記切断手段を制御して、前記二次送り量で二次送りされた前記光学フィルムを前記第１切断部と前記第２切断部の２箇所で同時に切断する光学フィルムの切断装置。
【発明の詳細な説明】
【技術分野】
【０００１】
本発明は、光学フィルムの切断方法および切断装置に関する。
【背景技術】
【０００２】
従来、液晶パネルなどの基板に貼り付ける偏光フィルム、位相差フィルムなどの光学フィルムが知られている。この種の光学フィルムは、帯状の光学フィルムを所定長さに切断することにより得られている。
【０００３】
例えば特許文献１では、帯状の光学フィルムをロール状に蓄積した原反ロールから光学フィルムを巻き出して搬送し、搬送路の下流側で光学フィルムを所定長さに切断することにより、枚葉の光学フィルムを製造している。
【先行技術文献】
【特許文献】
【０００４】
【特許文献１】国際公開第２０１０／０２１０２６号パンフレット
【発明の概要】
【発明が解決しようとする課題】
【０００５】
上記特許文献に記載されるような光学フィルムの切断技術においは、複数の搬送ローラが連なって構成される光学フィルムの搬送路を、当該搬送ローラ群の中のフィードローラに駆動されて光学フィルムが搬送される。そして搬送路の下流側では、光学フィルムはそのフィードローラにより一定量送られて一旦停止させられ、この状態で切断されて再び搬送されるといったように、間欠搬送と切断の動作が繰り返される。
【０００６】
ところで、光学フィルムを搬送している状況においては、フィードローラと光学フィルムとの間に滑りが生じる場合がある。その場合、光学フィルムの送り量に不足が生じ、かつ、ばらつきが生じ、このため切断後の枚葉の光学フィルムの長さにばらつきが生じるという不具合が起こる。
【０００７】
本発明は上記事情に鑑みてなされたものであり、その主たる技術的課題は、光学フィルムの送り量のばらつきを抑えることができ、以て切断後に得られる枚葉の光学フィルムの長さのばらつきを少なくすることができる光学フィルムの切断方法および切断装置を提供することにある。
【課題を解決するための手段】
【０００８】
本発明の光学フィルムの切断方法は、帯状の光学フィルムを、前記光学フィルムの先端位置が所定の先端停止位置に到達するまで送る搬送工程と、前記先端位置が前記先端停止位置に到達した前記光学フィルムを、前記先端停止位置よりも前記光学フィルムの送り方向の手前側に設定された切断部で切断する切断工程と、を含み、前記搬送工程は、前記光学フィルムを、前記光学フィルムの先端位置が前記先端停止位置から一定距離離間する一次送り到達点に到達すると想定される一次送り量で送る一次送り工程と、前記一次送り工程で送られた前記光学フィルムの先端位置を撮像手段で撮像して検出する先端位置検出工程と、当該先端位置検出工程で検出された前記光学フィルムの先端位置と前記先端停止位置とを比較し、前記光学フィルムの先端位置が前記先端停止位置に到達するのに必要な二次送り量を算出する二次送り量算出工程と、前記二次送り量算出工程で算出された二次送り量で前記光学フィルムを二次送りする二次送り工程と、を含む。
【０００９】
前記一次送り到達点は、前記先端停止位置に対して前記光学フィルムの送り方向の手前側に設定されていてもよい。
【００１０】
本発明の光学フィルムの切断装置は、帯状の光学フィルムが搬送される搬送路と、前記光学フィルムを前記搬送路上に設定された所定の先端停止位置に向けて送る搬送手段と、前記先端位置が前記先端停止位置に到達した前記光学フィルムを、前記先端停止位置よりも前記光学フィルムの送り方向の手前側に設定された切断部で切断する切断手段と、前記搬送路の前記先端停止位置および前記先端停止位置付近を撮像する撮像手段と、前記撮像手段の撮像情報が供給されるとともに、前記搬送手段による前記光学フィルムの送り量および前記切断手段を制御する制御手段と、を備え、前記制御手段は、前記搬送手段を制御して、前記光学フィルムの先端が前記先端停止位置から一定距離離間する一次送り到達点に到達すると想定される一次送り量で当該光学フィルムを送り、前記一次送り量で送られた前記光学フィルムの先端位置を前記撮像手段の撮像情報に基づいて検出し、検出された前記光学フィルムの先端位置と前記先端停止位置とを比較して、前記光学フィルムの先端位置が前記先端停止位置に到達するのに必要な二次送り量を算出し、前記搬送手段を制御して、前記二次送り量で前記光学フィルムを二次送りし、前記切断手段を制御して、前記二次送り量で二次送りされた前記光学フィルムを、前記先端停止位置よりも前記光学フィルムの送り方向の手前側に設定された切断部で切断する。
【発明の効果】
【００１１】
本発明によれば、光学フィルムの送り量のばらつきを抑えることができ、以て切断後に得られる枚葉の光学フィルムの長さのばらつきを少なくすることができる光学フィルムの切断方法および切断装置が提供される。
【図面の簡単な説明】
【００１２】
【図１】本発明の一実施形態に係る光学フィルムの切断装置を示す側面模式図である。
【図２】切断装置の切断部を示す側面模式図である。
【図３】切断装置によって帯状の光学フィルムが切断される様子を示す図である。
【図４】切断装置の撮像手段で撮像される先端位置決め部を示す平面図である。
【図５】帯状の光学フィルムを切断して得られた枚葉の光学フィルムの平均長さデータを示す線図であって、（ａ）は本実施形態の装置を用いた場合を示しており、（ｂ）は従来装置を用いた場合を示している。
【発明を実施するための形態】
【００１３】
以下、図面を参照して本発明の一実施形態を説明するが、本発明は同実施形態に限定されるものではない。なお、以下の全ての図面においては、実施形態を明らかにするため、各構成要素の寸法や比率などは適宜異ならせてある。また、以下の説明および図面中、同一又は相当する要素には同一の符号を付し、重複する説明は省略する。
【００１４】
［１］切断装置の構成
図１は、本発明の一実施形態の光学フィルムの切断装置１を示す側面模式図である。切断装置１は、例えば液晶パネルや有機ＥＬパネルなどの光学表示パネルの基板に貼り付けられる偏光フィルム、位相差フィルム等の光学フィルムＦを切断するものである。なお、光学フィルムＦは、可撓性を有する帯状の機能性フィルムであれば特に限定されるものではない。
【００１５】
図１に示すように、切断装置１は、帯状の光学フィルムＦを原反ロール１１から図中右方向に連続的に巻き出して全体的には水平に搬送し、搬送路１２の下流側の配設された切断エリア１２Ｂで所定長さの枚葉に切断し、搬出エリア１２Ｃに搬出するものである。
【００１６】
光学フィルムＦが長手方向に沿って送られる搬送路１２は、原反ロール１１から切断エリア１２Ｂに光学フィルムＦを供給する供給エリア１２Ａと、供給エリア１２Ａに続く切断エリア１２Ｂと、搬出エリア１２Ｃに分けられる。切断エリア１２Ｂでは光学フィルムＦは間欠的に搬送され、搬送停止時に光学フィルムＦは切断される。また、供給エリア１２Ａでは、切断エリア１２Ｂでの光学フィルムＦの間欠搬送に関係なく連続的に光学フィルムＦが搬送される。
【００１７】
原反ロール１１は帯状の光学フィルムＦをボビン１１ａに巻き付けて蓄積したもので、ボビン１１ａは図中時計回り方向に回転駆動され、これにより光学フィルムＦは搬送路１２の供給エリア１２Ａに連続的に巻き出されていく。供給エリア１２Ａは、複数のガイドローラ２１およびニップローラ２２が連なって構成されており、供給エリア１２Ａの最後端に配設されたニップローラ（本発明の搬送手段に相当、以降、フィードローラと称する）２２Ａが図示の矢印のように回転することで、光学フィルムＦは切断エリア１２Ｂに送られていく。
【００１８】
供給エリア１２Ａには、ダンサローラ２３が配設されている。ダンサローラ２３は図示の矢印Ｄのように上下方向に揺動可能に支持されている。ダンサローラ２３が下方に揺動して搬送路１２が長くなることにより、光学フィルムＦが切断エリア１２Ｂで停止し切断されている間であっても供給エリア１２Ａでの光学フィルムＦの連続搬送がなされるように、光学フィルムＦの送り量が吸収されるようになされている。
【００１９】
搬送路１２の切断エリア１２Ｂから搬出エリア１２Ｃはほぼ水平に設定されている。図２に示すように、切断エリア１２Ｂには、光学フィルムＦの搬送方向の上流側から下流側（図２で左側から右側）に向かって第１切断部３１、第２切断部３２、先端位置決め部３３が、等間隔をおいて配設されている。これらの間隔は、光学フィルムＦを切断した後に得る枚葉の長さに等しい。すなわち当該切断装置１では、図３に示すように、光学フィルムＦを第１切断部３１と第２切断部３２の２箇所で同時に切断し、枚葉の光学フィルムＦ１を一回の切断動作で２枚ずつ切り出して搬出するものとなっている。
【００２０】
第１切断部３１と第２切断部３２は同じ構成である。図２に示すように、これら切断部３１，３２は、上面に配置される光学フィルムＦを全幅にわたって吸着して保持する吸着テーブル３５と、吸着テーブル３５の下方に配設されたレーザー照射部（本発明の切断手段に相当）３６とを備えている。吸着テーブル３５の搬送方向中央には、搬送方向に直交して横断するように延びるスリット３５ａが形成されている。
【００２１】
吸着テーブル３５は、負圧作用によって光学フィルムＦを上面に吸着して保持する。レーザー照射部３６は、光学フィルムＦを適切に切断し得る所定の条件（波長や出力等）を満たすレーザビームＬを、吸着テーブル３５に保持された光学フィルムＦにスリット３５ａを通して照射するもので、スリット３５ａに沿ってレーザビームＬを走査することで、光学フィルムＦは搬送方向に直交する幅方向に切断される。光学フィルムＦを切断するためレーザビームＬを走査させるには、レーザー照射部３６をスリット３５ａに沿って移動させたり、レーザー照射部３６をスリット３５ａに沿って首振りするように揺動させてレーザビームＬの照射方向を変化させたりするといった手法がある。
【００２２】
第１切断部３１と第２切断部３２の間、および第２切断部３２と位置決め部３３との間には、切断された枚葉の光学フィルムＦ１を載せて搬出エリア１２Ｃに搬送する搬送コンベア４１，４２が配設されている。
【００２３】
先端位置決め部３３は、光学フィルムＦの搬送方向の先端を所定位置に位置決めするために設けられた部分であり、負圧作用によって光学フィルムＦを上面に吸着して保持する位置決め板３７と、テンションローラ３８とを備えている。
【００２４】
位置決め板３７は搬送コンベア４２の直後に配置されており、図４に示すように、矢印で示す光学フィルムＦの搬送方向に直交して横断するように延びている。位置決め板３７の表面には、自身の長手方向、すなわち光学フィルムＦの搬送方向に直交して延びる先端停止ライン（本発明の先端停止位置に相当）３７ａが設定されている。停止ライン３７ａは仮想的に設定されたものであり、位置決め板３７の表面に直接描画されたものではない。停止ライン３７ａの位置は、図１に示す制御手段６０の記憶部（図示略）に記憶されている。
【００２５】
テンションローラ３８は、上方から光学フィルムＦの先端部を搬送コンベア４２の後端部に押し付けながら送り方向に回転することで、搬送コンベア４２上の光学フィルムＦの弛みを除去する。
【００２６】
位置決め板３７の上方には、撮像手段５１が配設されている。撮像手段５１は、例えばＣＣＤ素子等の撮像素子を備えるもので、下方の位置決め板３７の表面およびその付近を撮像可能に設けられている。すなわち撮像手段５１は、先端停止ライン３７ａおよび先端停止ライン３７ａの搬送方向の前後付近を撮像する。
【００２７】
図１に示すように、搬出エリア１２Ｃは、搬送方向に並べられた複数（図示例では２つ）の搬出コンベア４３，４４を備えており、切断エリア１２Ｂで切断された枚葉の光学フィルムＦ１が搬出コンベア４３にストックされる。
【００２８】
第１切断部３１、第２切断部３２、先端位置決め部３３は等間隔をおいて配設され、これらの間隔は光学フィルムＦを切断した後に得る枚葉の長さに等しいと上述したが、厳密には、第１切断部３１と第２切断部３２のレーザー照射部３６から照射されるレーザビームＬの光学フィルムＦへの各照射位置間の間隔と、第２切断部３２のレーザー照射部３６から照射されるレーザビームＬの光学フィルムＦへの照射位置と先端停止ライン３７ａとの間の間隔が同一距離であって、かつ、切断後に得るべき枚葉の長さに等しい距離に設定されている。
【００２９】
さて、本実施形態の切断装置１は、図１に示すように制御手段６０を有している。切断手段６０には、撮像手段５１による撮像情報が供給される。そして切断装置１においては、制御手段６０により撮像手段５１の撮像情報に基づいて、上記供給エリア１２Ａ、切断エリア１２Ｂおよび搬出エリア１２Ｃの作動構成要素が統括的に制御される。以下、制御手段６０によって制御される切断装置１の動作を説明する。
【００３０】
［２］切断装置の動作
本実施形態の光学フィルムＦの切断方法は、帯状の光学フィルムＦを、光学フィルムＦの先端位置が所定の先端停止位置に到達するまで送る搬送工程と、先端位置が前記先端停止位置に到達した光学フィルムＦを、前記先端停止位置よりも光学フィルムＦの送り方向の手前側に設定された切断部で切断する切断工程と、を含む。
【００３１】
例えば、供給エリア１２Ａにおいては原反ロール１１から光学フィルムＦが連続的に巻き出され、その光学フィルムＦはフィードローラ２２Ａによって切断エリア１２Ｂに送られる。フィードローラ２２Ａから先の切断エリア１２Ｂにおいては、光学フィルムＦの切断動作と搬送動作とを交互に行う間欠搬送が行われる。すなわち、フィードローラ２２Ａによって先端が先端位置決め部３３に到達するまで光学フィルムＦが送られて停止し、第１切断部３１と第２切断部３２で同時に光学フィルムＦが切断される。そして、切断によって得られた２枚の枚葉の光学フィルムＦ１が搬送コンベア４１，４２によって搬出エリア１２Ｃに送られ、その送り動作に連動してフィードローラ２２Ａが回転を再開し、光学フィルムＦが切断エリア１２Ｂに送られる。フィードローラ２２Ａと搬送コンベア４１，４２の駆動は連動しており、フィードローラ２２Ａによる光学フィルムＦの送り動作と搬送コンベア４１，４２による枚葉の光学フィルムＦ１の搬送動作とは同じタイミングで並行して行われる。
【００３２】
一方、供給エリア１２Ａでは、切断エリア１２Ｂでの光学フィルムＦの間欠搬送に関係なく連続的に光学フィルムＦが搬送される。切断エリア１２Ｂで光学フィルムＦの搬送が停止させられているときには、ダンサローラ２３が下方に揺動して搬送路１２が長くなり、光学フィルムＦの送り量が吸収されて連続搬送が維持される。
【００３３】
次に、切断エリア１２Ｂでの間欠搬送の詳細を説明する。
上記のように第１切断部３１と第２切断部３２で同時に光学フィルムＦが切断され、切断によって得られた２枚の枚葉の光学フィルムＦ１が搬出エリア１２Ｃに送られると、それと並行してフィードローラ２２Ａが回転を再開し、光学フィルムＦが一次送り量で先端位置決め部３３まで一次送りされる（一次送り工程）。
【００３４】
ここで言う一次送り量とは、図４に示すように、光学フィルムＦの先端位置（第１切断部３１で切断された端縁）が先端停止ライン３７ａから一定距離Ｇだけ手前側すなわち上流側に離間する一次送り到達点３７ｂに到達すると想定される送り量であり、フィードローラ２２Ａは、その一次送り量分だけ回転するように制御される。先端停止ライン３７ａから手前側の一次送り到達点３７ｂまでの距離Ｇは任意であるが、例えば３ｍｍ程度とされる。
【００３５】
次に、テンションローラ３８が回転して搬送コンベア４１，４２上の光学フィルムＦが搬送方向に引っ張られ、光学フィルムＦの弛みが除去される。続いて、位置決め板３７に光学フィルムＦの先端部が吸着されて浮きや弛みが除去された状態とされる。
【００３６】
次いで、先端位置決め部３３において、撮像手段５１により光学フィルムＦの先端位置が撮像され、その先端位置が検出される（先端位置検出工程）。そして、撮像手段５１による撮像に基づいて光学フィルムＦの先端位置と先端停止ライン３７ａとが比較され、光学フィルムＦの先端が先端停止ライン３７ａに到達するに必要な二次送り量が算出される（二次送り量算出工程）。
【００３７】
二次送り量は、光学フィルムＦの先端から先端停止ライン３７ａまでの空き量であり、一次送りが適正な量であれば、その空き量は、フィードローラ２２Ａの回転数に見合った一次送り到達点３７ｂから先端停止ライン３７ａまでの距離Ｇに等しい。しかし、一次送りの最中にフィードローラ２２Ａと光学フィルムＦとの間に滑りが生じると送り量に不足が生じ、一次送り後の光学フィルムＦの先端は想定している一次送り到達点３７ｂよりも手前側に位置する。その場合には、光学フィルムＦの先端から先端停止ライン３７ａまでの空き量は、想定距離Ｇ（例えば、上記３ｍｍ）よりも長くなる。そこで、一次送り後の実際の空き量すなわち必要な二次送り量を撮像手段５１による撮像に基づいて制御手段６０が算出する。
【００３８】
次いで、算出された二次送り量に相当する回転数だけフィードローラ２２Ａを回転させ、光学フィルムＦを二次送りする（二次送り工程）。二次送りは、光学フィルムＦの先端が先端停止ライン３７ａに合致するものとして制御される。
【００３９】
次いで、第１切断部３１と第２切断部３２において、吸着テーブル３５に光学フィルムＦが吸着して保持される。そして各切断部３１，３２のレーザー照射部３６から、吸着テーブル３５に保持された光学フィルムＦにスリット３５ａを通してレーザビームＬが照射され、光学フィルムＦは第１切断部３１と第２切断部３２で同時に切断される（切断工程）。切断後は、各搬送コンベア４１，４２上に枚葉の光学フィルムＦ１が１枚ずつ載った状態となる。この後、吸着テーブル３５および位置決め板３７による光学フィルムＦ，Ｆ１の吸着が解除され、切断された２枚の光学フィルムＦ１が搬送コンベア４１，４２によって順次搬出コンベア４３，４４に送られる。
【００４０】
以上が制御手段６０による制御動作の１サイクルである。光学フィルムのＦの切断後は、枚葉の光学フィルムＦ１の搬送動作と連動してフィードローラ２２Ａが再び回転させられ、光学フィルムＦが供給エリア１２Ａから切断エリア１２Ｂに送られる。そして、上記サイクルが繰り返されて枚葉の光学フィルムＦ１が順次搬出エリア１２Ｃの搬出コンベア４４にストックされ、次の工程に移される。
【００４１】
［３］本実施形態の作用効果
フィードローラ２２Ａで光学フィルムＦを間欠的に切断エリア１２Ｂに送るにあたり、従来の方法を上記切断装置１に適用すると、光学フィルムＦの先端が位置決め板３７の先端停止ライン３７ａに到達するまでフィードローラ２２Ａを回転させるといったように、光学フィルムＦの搬送工程を１回としていた。しかしこのような１回搬送では、フィードローラ２２Ａと光学フィルムＦとの間に滑りが生じた場合に送り量に不足が生じ、切断後の枚葉の長さばらつきが大きくなるといった不具合が起こる。
【００４２】
その点、本実施形態によれば、切断エリア１２Ｂでの光学フィルムＦの搬送を、先端停止ライン３７ａから僅かに手前の一次送り到達点３７ｂに先端が到達するまで光学フィルムＦを送る一次送りと、最終的に先端を先端停止ライン３７ａに到達させる二次送りの第２段階に分けている。一次送り後においては、先端と先端停止ライン３７ａとの間の空き量を求め、二次送りではこの空き量分だけ光学フィルムＦを搬送し、先端が先端停止ライン３７ａに合致するように補正している。このため、フィードローラ２２Ａによる光学フィルムＦの送り量のばらつきが抑えられ、光学フィルムＦの先端が先端停止ライン３７ａに高い精度で停止した状態を常に得ることができる。その結果、切断後に得る枚葉の光学フィルムＦ１の長さばらつきを少なくすることができる。
【００４３】
図５は（ａ）は、本実施形態の方法を適用して光学フィルムＦを搬送しながら切断した場合の、フィードローラ２２Ａによる光学フィルムＦの送り量の平均値を、サンプル数に応じて採取し、それをグラフ化したものである。一方、図５（ｂ）は、従来方法を採用した場合の、フィードローラ２２Ａによる光学フィルムＦの送り量の平均値を、サンプル数に応じて採取してグラフ化したものである。同図で明らかなように、本実施形態の方法を採用することにより、従来方法よりも光学フィルムＦの送り量のばらつきを少なくすることができることが判る。
【００４４】
また、本実施形態では、一次送りでの一次送り到達点３７ｂを、先端停止ライン３７ａに対して光学フィルムＦの送り方向の手前側に設定している。このため、一次送り後の光学フィルムＦの先端位置は、ほぼ全てが先端停止ライン３７ａの手前に位置することになる。したがって二次送りの方向は逆送りにならず、フィードローラ２２Ａは常に同じ方向に回転することになる。フィードローラ２２Ａを逆方向へ回転させて光学フィルムＦの先端を先端停止ライン３７ａに合わせる制御は、高い精度で行うことが困難な場合があり、したがって一次送りでの一次送り到達点３７ｂを先端停止ライン３７ａの手前側に設定することは、総合送り量を一定にする上で有効である。
【００４５】
なお、本実施形態においては、切断手段をレーザー照射部によって構成したが、切断手段はこれに限らず、カッターなどの切断手段を用いてもよい。
【００４６】
また、本実施形態においては、二次送り後は光学フィルムＦの切断に移行しているが、二次送り後の切断の前に、もう一度撮像手段５１による撮像を確認し、そこで光学フィルムＦの先端が先端停止ライン３７ａに対し予め設定している閾値の範囲を超えて外れている場合には、切断した枚葉の光学フィルムを破棄する工程を追加してもよい。
【符号の説明】
【００４７】
１…切断装置、１２…搬送路、２２Ａ…フィードローラ（搬送手段）、３１…第１切断部、３２…第２切断部、３６…レーザー照射部（切断手段）、３７ａ…先端停止ライン（先端停止位置）、３７ｂ…一次送り到達点、５１…撮像手段、６０…制御手段、Ｆ…光学フィルム、Ｆ１…枚葉の光学フィルム
【図１】
0005963073.tif 000002
【図２】
0005963073.tif 000003
【図３】
0005963073.tif 000004
【図４】
0005963073.tif 000005
【図５】
0005963073.tif 000006